(57)【要約】【課題】高圧放水等にも対応できる高い防水性があり、且つ、取り付け時の作業性が良い防水グロメットを提供する。【解決手段】パネル１２のグロメット取付孔１３に挿入され、グロメット取付孔１３の孔面に密着する孔面密着部２０と、孔面密着部２０より室内１０側に設けられた大径の室内側大径部２１と、孔面密着部２０より室外１１側に設けられた大径の室外側大径部２２とを有し、室内側大径部２１に、パネル１２に密着する内周密着部２３及び外周密着部２４と、これらの間に形成された水溜め用凹部２５とを設け、室外側大径部２２に、縮径方向に撓み変形自在で、室内側大径部２１に向かって徐々に拡径しつつ延設され、先端がパネル１２に密着する弾性傘状部２６と、弾性傘状部２６の内周側に形成された撓み変形用凹部２７とを設けた。【選択図】      図２
2004328839.tif 000002
【特許請求の範囲】
【請求項１】
室内と室外とを仕切るパネルのグロメット取付孔に挿入され、このグロメット取付孔の孔面にほぼ密着する孔面密着部と、この孔面密着部より前記室内側に設けられ、前記グロメット取付孔より大径の室内側大径部と、前記孔面密着部より前記室外側に設けられ、前記グロメット取付孔より大径の室外側大径部とを有し、
前記室内側大径部に、前記パネルの前記グロメット取付孔の周囲に密着する内周密着部と、この内周密着部より外周側で前記パネルの前記グロメット取付孔の周囲に密着する外周密着部と、この外周密着部と前記内周密着部との間に形成された水溜め用凹部とを設け、
前記室外側大径部に、縮径方向に撓み変形自在で、前記室内側大径部に向かって徐々に拡径しつつ延設され、先端が前記パネルの前記グロメット取付孔の周囲に密着する弾性傘状部と、この弾性傘状部の内周側に形成された撓み変形用凹部とを設けたことを特徴とする防水グロメット。
【請求項２】
請求項１記載の防水グロメットであって、
前記内周密着部を所定幅で前記パネルに密着させたことを特徴とする防水グロメット。
【請求項３】
請求項１又は請求項２記載の防水グロメットであって、
前記弾性傘状部の外面を内周側に曲がる曲面に形成したことを特徴とする防水グロメット。
【請求項４】
請求項１〜請求項３記載の防水グロメットであって、
前記室外側大径部に、前記パネルの近接位置で前記撓み変形用凹部に突出し、且つ、中心から突出頂点までの距離がグロメット取付孔の中心から孔面までの距離より若干だけ大きい抜け防止突起を設けたことを特徴とする防水グロメット。
【発明の詳細な説明】
【０００１】
【発明の属する技術分野】
本発明は、防水グロメットに関する。
【０００２】
【従来の技術】
例えば、車両には種々の電装品が設置され、これら電装品の中には防水が施された室に収納されるものがある。このような電装品が収納される室内（防水室）には防水グロメットを用いて外部からのワイヤーハーネスが導き入れられる。
【０００３】
この種の従来の防水グロメットとして、図１１に示す実開平５−６２８０号公報に開示されたものがある。
【０００４】
図１１に示すように、室内１と室外２を仕切るパネル３にはグロメット取付孔４が形成され、このグロメット取付孔４に防水グロメット５が装着されている。
【０００５】
防水グロメット５は、グロメット取付孔４より大径の頭部６と、グロメット取付孔４より最大径が大きい胴部７と、この胴部７の他端に接続された末端部８とが一体に設けられている。頭部６、胴部７及び末端部８の内部には図示しないハーネス挿通孔が貫通されており、このハーネス挿通孔に図示しないワイヤーハーネスが通されるようになっている。
【０００６】
頭部６と胴部７との境界の孔面密着部９がグロメット取付孔４の孔面に密着され、頭部６がグロメット取付孔４の室内１側に、胴部７がグロメット取付孔４の室外２側にそれぞれ突出することによって嵌合されている。頭部６のパネル側面には内周リップ部６ａと外周リップ部６ｂとが設けられ、この内周リップ部６ａと外周リップ部６ｂは、弾性復帰変形力によってパネル３のグロメット取付孔４の全周囲に密着している。胴部７の外周面は、頭部６から末端部８側に向かって徐々に拡径し、最大拡径の中央部７ａから末端部８側に向かって徐々に縮径する中膨れ形状に形成されている。
【０００７】
次に、防水グロメット５の取付作業を説明する。
【０００８】
防水グロメット５を、その末端部８を先端として室内１側からパネル３のグロメット取付孔４に挿入すると、末端部８を過ぎて胴部７まで挿入された時点で胴部７がグロメット取付孔４の内面に突き当たる。この状態にあって、防水グロメット５を更に強く挿入すると、防水グロメット５の胴部７が弾性圧縮変形等してグロメット取付孔４より縮径状態となって挿入が許容される。胴部７の最大拡径の中央部７ａを過ぎると、徐々に挿入抵抗が弱まる。そして、頭部６がパネル３に密着される位置まで挿入すれば完了する。
【０００９】
上記防水グロメット５によれば、孔面密着部９がパネル３のグロメット取付孔４の孔面に密着し、且つ、内周リップ部６ａ及び外周リップ部６ｂがパネル３の室内１側に密着しているため、これら３箇所で防水シールドが施される。従って、室外２より浸入する水は、孔面密着部９によるシールド部分を超え、次に、内周リップ部６ａによるシールド箇所を越え、次に、外周リップ部６ｂによるシールド箇所を越えなければ室内１に浸入できないようになっている。
【００１０】
【特許文献１】
実開平５−６２８０号公報
【００１１】
【発明が解決しようとする課題】
しかしながら、前記従来の防水グロメット５では、図１１の室外２の矢印Ａ方向から高圧放水を受けると、水が胴部７の外面に沿って水勢が弱まることなく孔面密着部９によるシールド部分にぶつかるために、孔面密着部９とグロメット取付孔４の間に容易に浸入する。そして、孔面密着部９より奥に浸入した水は内周リップ部６ａ及び外周リップ部６ｂによって堰き止められる構造になっているが、これらは弾性変形によってパネル３に密着し、且つ、密着幅が非常に短寸法であるため、十分なるシールド性がなく、室内１に水が浸入する事態が発生する。つまり、高圧放水等に対応できるような高い防水性がない。
【００１２】
また、防水グロメット５をグロメット取付孔４に装着する際には、胴部７を弾性圧縮変形等させなければ挿入できないため、挿入力が高く作業性が悪いという問題がある。
【００１３】
そこで、本発明は、前記した課題を解決すべくなされたものであり、高圧放水等にも対応できる高い防水性があり、且つ、取り付け時の作業性が良い防水グロメットを提供することを目的とする。
【００１４】
【課題を解決するための手段】
請求項１の発明は、室内と室外とを仕切るパネルのグロメット取付孔に挿入され、このグロメット取付孔の孔面にほぼ密着する孔面密着部と、この孔面密着部より前記室内側に設けられ、前記グロメット取付孔より大径の室内側大径部と、前記孔面密着部より前記室外側に設けられ、前記グロメット取付孔より大径の室外側大径部とを有し、前記室内側大径部に、前記パネルの前記グロメット取付孔の周囲に密着する内周密着部と、この内周密着部より外周側で前記パネルの前記グロメット取付孔の周囲に密着する外周密着部と、この外周密着部と前記内周密着部との間に形成された水溜め用凹部とを設け、前記室外側大径部に、縮径方向に撓み変形自在で、前記室内側大径部に向かって徐々に拡径しつつ延設され、先端が前記パネルの前記グロメット取付孔の周囲に密着する弾性傘状部と、この弾性傘状部の内周側に形成された撓み変形用凹部とを設けたことを特徴とする。
【００１５】
この防水グロメットでは、孔面密着部がグロメット取付孔の孔面に密着され、内周密着部及び外周密着部がパネルの室内側に密着されると共に弾性傘状部がパネルの室外側に密着されるため、これら４箇所で防水シールドが施される。そして、弾性傘状部に対してあらゆる方向から高圧放水を受けても、弾性傘状部の形状によって水が防水グロメットから逃げる方向に導かれる。また、弾性傘状部とパネルとのシールド箇所より水が撓み変形用凹部にまで浸入した場合、或いは、内周密着部とパネルとのシールド箇所より水が水溜め用凹部にまで浸入した場合には、水滴が撓み変形用凹部や水溜め用凹部に溜められるため、これより奥への水の浸入が阻止される。さらに、防水グロメットをグロメット取付孔に挿入する際には、弾性傘状部が撓み変形用凹部によって容易に縮径方向にたわみ変形するため、防水グロメットが弱い挿入力で挿入される。
【００１６】
請求項２の発明は、請求項１記載の防水グロメットであって、前記内周密着部を所定幅で前記パネルに密着させたことを特徴とする。
【００１７】
この防水グロメットでは、請求項１の発明の作用に加え、内周密着部とパネルとの間のシールド性（防水性）が高くなる。
【００１８】
請求項３の発明は、請求項１又は請求項２記載の防水グロメットであって、前記弾性傘状部の外面を内周側に曲がる曲面に形成したことを特徴とする。
【００１９】
この防水グロメットでは、請求項１又は請求項２の発明の作用に加え、弾性傘状部が高圧放水を受けると、弾性傘状部の先端がパネルを押圧する力が弾性傘状部の外面がストレート状である場合に比べて大きくなる。
【００２０】
請求項４の発明は、請求項１〜請求項３記載の防水グロメットであって、前記室外側大径部に、前記パネルの近接位置で前記撓み変形用凹部に突出し、且つ、中心から突出頂点までの距離がグロメット取付孔の中心から孔面までの距離より若干だけ大きく設定された抜け防止突起を設けたことを特徴とする。
【００２１】
この防水グロメットでは、請求項１〜請求項３の発明の作用に加え、弾性傘状部の縮径方向の撓み変形が容易である。また、防水グロメットに室内側への抜け力が作用すると、その抜け方向の移動に対して弾性傘状部と共に抜け防止突起が規制する。
【００２２】
【発明の実施の形態】
以下、本発明の実施形態を図面に基づいて説明する。
【００２３】
図１〜図４は本発明の第１実施形態を示し、図１はパネルに装着された防水グロメットの正面図、図２（ａ）は図１中Ａ−Ａ線に沿う断面図、図２（ｂ）は図２（ａ）中Ｂ部の拡大図、図３は防水グロメットの斜視図、図４（ａ）〜（ｃ）は防水グロメットの挿入過程の各状態を示す要部の断面図である。
【００２４】
図１及び図２（ａ）に示すように、防水室である室内１０と室外１１とを仕切るパネル１２に円形のグロメット取付孔１３が形成され、このグロメット取付孔１３に防水グロメット１４Ａが装着されている。
【００２５】
図１〜図３に示すように、防水グロメット１４Ａは、弾性部材であるゴム材にて形成され、グロメット取付孔１３より大径の頭部１５と、グロメット取付孔１３より小径で、頭部１５より末端部１７側に向かって徐々に縮径する胴部１６と、グロメット取付孔１３より小径で、同一径の末端部１７から一体に形成されている。そして、頭部１５、胴部１６及び末端部１７の内部にはハーネス挿通孔１８が貫通されており、このハーネス挿通孔１８に図示しないワイヤーハーネスが通される。
【００２６】
図２（ａ），（ｂ）に示すように、頭部１５は、グロメット取付孔１３の孔面にほぼ密着する孔面密着部２０と、この孔面密着部２０より室内１０側に設けられ、グロメット取付孔１３より大径の室内側大径部２１と、内側当接部２０より室外１１側に設けられ、グロメット取付孔１３より大径の室外側大径部２２から形成されている。
【００２７】
室内側大径部２１には、パネル１２のグロメット取付孔１３の全周囲に密着するリング状の内周密着部２３と、この内周密着部２３より外周側でパネル１２のグロメット取付孔１３の全周囲に密着するリング状の外周密着部２４と、この外周密着部２４と内周密着部２３との間に形成されたリング状の水溜め用凹部２５とが設けられている。内面密着部２３は、所定の幅Ｗでパネル１２に密着されている。
【００２８】
室外側大径部２２には、縮径方向に撓み変形自在で、室内側大径部２１に向かって徐々に拡径しつつ延設され、先端がパネル１２のグロメット取付孔１３の全周囲に密着するリング状の弾性傘状部２６と、この弾性傘状部２６の内周側に形成されたリング状の撓み変形用凹部２７とが設けられている。弾性傘状部２６の外面は、胴部１６の拡径方向に沿ってストレートに延設されている。
【００２９】
次に、防水グロメット１４Ａの取付作業を図４に基づいて説明する。
【００３０】
防水グロメット１４Ａを、その末端部１７を先端として室内１０側からパネル１２のグロメット取付孔１３に挿入すると、図４（ａ）に示すように、末端部１７及び胴部１６を過ぎて頭部１５に達する箇所でパネル１２のグロメット取付孔１３の孔面に突き当たる。この状態にあって、防水グロメット１４Ａを更に挿入すると、図４（ｂ）に示すように、頭部１５の弾性傘状部２６が撓み変形用凹部２７によって容易に縮径方向にたわみ変形（弾性変形）して挿入が許容される。防水グロメット１４Ａが孔面密着部２０までパネル１２のグロメット取付孔１３に挿入されると、弾性傘状部２６がパネル１２のグロメット取付孔１３より抜ける。弾性傘状部２６がパネル１２のグロメット取付孔１３より抜けると、図４（ｃ）に示すように、弾性復帰変形して弾性傘状部２６の先端がパネル１２に密着し、これで完了する（図２（ｂ）参照）。
【００３１】
このようにしてパネル１２のグロメット取付孔１３に嵌合された防水グロメット１４Ａは、孔面密着部２０がパネル１２のグロメット取付孔１３の孔面に密着され、内周密着部２３及び外周密着部２４がパネル１２の室内１０側に密着されると共に、弾性傘状部２６がパネル１２の室外１１側に密着されるため、これら４箇所で防水シールドが施される。そして、弾性傘状部２６は、あらゆる方向から高圧放水を受けてもその形状によって水が防水グロメット１４Ａから逃げる方向に導かれ、シールド箇所に勢い良く放水されることがない。また、仮に水が弾性傘状部２６とパネル１２とのシールド箇所より撓み変形用凹部２７にまで浸入した場合、或いは、内周密着部２３とパネル１２のシールド箇所より水溜め用凹部２５にまで浸入した場合には、図２（ｂ）に示すように、水滴３０が撓み変形用凹部２７や水溜め用凹部２５に溜められるため、これより奥への水の浸入が阻止され、防止性が向上する。溜まった水滴３０は自然蒸発により消失される。
【００３２】
また、防水グロメット１４Ａをパネル１２のグロメット取付孔１３に挿入する際に、弾性傘状部２６が撓み変形用凹部２７によって容易に縮径方向にたわみ変形するため、防水グロメット１４Ａを弱い挿入力（小さい挿入力）で挿入することができる。以上より、防水グロメット１４Ａは、高圧放水等にも対応できる高い防水性があり、且つ、取り付け時の嵌合作業性が良い。
【００３３】
前記第１実施形態では、内周密着部２３は、所定幅Ｗでパネル１２に密着するので、内周密着部２３とパネル１２との間のシールド性が高くなる。従って、高い防水性が得られる。
【００３４】
図５及び図６は本発明の第２実施形態を示し、図５は防水グロメットの要部の断面図、図６は高圧放水を受けた場合の説明図である。
【００３５】
図５に示すように、この第２実施形態の防水グロメット１４Ｂでは弾性傘状部２６の外面が内周側に曲がる曲面（湾曲面）２６ａに形成されている。尚、前記第１実施形態では弾性傘状部２６の外面はストレート状に形成されており、この点が前記第１実施形態と異なるが、他の構成は、前記第１実施形態と同一であるため、同一構成箇所に同一符号を付してその説明を省略する。
【００３６】
この第２実施形態では、弾性傘状部２６の外面は、内周側に曲がる曲面２６ａに形成されているので、図６に示すように、弾性傘状部２６が矢印ａ，ｂ方向等から高圧放水を受けると、この放水による外力Ｆによって弾性傘状部２６の先端がパネル１２を押圧するが、この外力Ｆが弾性傘状部２６の外面がストレート状である場合に比べて大きくなる。従って、弾性傘状部２６とパネル１２間の密着力が増大し、更に高い防水性を得ることができる。
【００３７】
図７〜図１０は本発明の第３実施形態を示し、図７はパネルに装着された防水グロメットの正面図、図８は図７中Ｃ−Ｃ線に沿う断面図、図９は図８中Ｄ部の拡大図、図１０は防水グロメットの挿入過程を示す要部の断面図である。
【００３８】
図７〜図９に示すように、第３実施形態の防水グロメット１４Ｃの室外側大径部２２には、パネル１２の近接位置で撓み変形用凹部２７に突出する抜け防止突起２８が設けられている。この抜け防止突起２８は、中心Ｏ１から突出頂点までの距離Ｒ１がグロメット取付孔１３の中心Ｏ２から孔面までの距離Ｒ２より若干だけ大きく設定されている。尚、他の構成は、前記第１実施形態と同一であるため、同一構成箇所に同一符号を付してその説明を省略する。
【００３９】
この第３実施形態では、室外側大径部２２の抜け防止突起２８がグロメット取付孔１３よりさほど突出していないので、図１０に示すように、弾性傘状部２６が縮径方向の撓み変形によって十分に縮径される。このため、取り付け時の嵌合作業性が良い。さらに、防水グロメット１４Ｃに室内１０側への抜け力Ｐ（図９に示す）が作用すると、その抜け方向の移動が弾性傘状部２６と共に抜け防止突起２８によって規制される。従って、防水グロメット１４Ｃの脱落を確実に防止することができる。
【００４０】
【発明の効果】
以上説明したように、請求項１の発明によれば、防水グロメットの孔面密着部がグロメット取付孔の孔面に密着され、内周密着部及び外周密着部がパネルの室内側に密着されると共に、弾性傘状部がパネルの室外側に密着されるため、これら４箇所で防水シールドを施すことができる。そして、弾性傘状部に対してあらゆる方向から高圧放水を受けても、弾性傘状部の形状によって水を防水グロメットから逃げる方向に導くことができる。また、弾性傘状部とパネルとのシールド箇所より水が撓み変形用凹部にまで浸入した場合、或いは、内周密着部とパネルとのシールド箇所より水が水溜め用凹部にまで浸入した場合に、水滴が撓み変形用凹部や水溜め用凹部に溜められるため、これより奥への水の浸入を阻止することができる。さらに、防水グロメットをグロメット取付孔に挿入する際に、弾性傘状部が撓み変形用凹部によって容易に縮径方向にたわみ変形するため、防水グロメットを弱い挿入力で挿入することができる。これらにより、高圧放水等にも対応できる高い防水性があり、且つ、取り付け時の作業性が良い防水グロメットを提供することができる。
【００４１】
請求項２の発明によれば、防水グロメットの内周密着部を所定幅でパネルに密着させたので、内周密着部とパネルとの間のシールド性を高めることができる。従って、更に高い防水性を得ることができる。
【００４２】
請求項３の発明によれば、弾性傘状部の外面を内周側に曲がる曲面に形成したので、弾性傘状部が高圧放水を受けると、弾性傘状部の先端がパネルを押圧する力が弾性傘状部の外面がストレート状である場合に比べて大きくなる。従って、弾性傘状部とパネル間の密着力を増大させることができ、更に高い防水性を得ることができる。
【００４３】
請求項４の発明によれば、室外側大径部にパネルの近接位置で撓み変形用凹部に突出された抜け防止突起を設けたので、弾性傘状部の縮径方向の撓み変形が容易となり、取り付け時の作業性を向上させることができる。また、防水グロメットに室内側への抜け力が作用すると、その抜け方向の移動に対して弾性傘状部と共に抜け防止突起が規制する。従って、防水グロメットの脱落を確実に防止することができる。
【図面の簡単な説明】
【図１】本発明の第１実施形態を示し、パネルに装着された防水グロメットの正面図である。
【図２】本発明の第１実施形態を示し、（ａ）は図１中Ａ−Ａ線に沿う断面図、（ｂ）は図２（ａ）中Ｂ部の拡大図である。
【図３】本発明の第１実施形態を示し、防水グロメットの斜視図である。
【図４】本発明の第１実施形態を示し、（ａ）〜（ｃ）は防水グロメットの挿入過程の各状態を示す要部の断面図である。
【図５】本発明の第２実施形態を示し、防水グロメットの要部の断面図である。
【図６】本発明の第２実施形態を示し、高圧放水を受けた場合の説明図である。
【図７】本発明の第３実施形態を示し、パネルに装着された防水グロメットの正面図である。
【図８】本発明の第３実施形態を示し、図７中Ｃ−Ｃ線に沿う断面図である。
【図９】本発明の第３実施形態を示し、図８中Ｄ部の拡大図である。
【図１０】本発明の第３実施形態を示し、防水グロメットの挿入過程を示す要部の断面図である。
【図１１】従来例を示し、パネルに装着された防水グロメットの一部を切り欠いた側面図である。
【符号の説明】
１０  室内
１１  室外
１２  パネル
１３  グロメット取付孔
１４Ａ〜１４Ｃ  防水グロメット
２０  孔面密着部
２１  室内側大径部
２２  室外側大径部
２３  内周密着部
２４  外周密着部
２５  水溜め用凹部
２６  弾性傘状部
２７  撓み変形用凹部
【図１】
2004328839.tif 000003
【図２】
2004328839.tif 000004
【図３】
2004328839.tif 000005
【図４】
2004328839.tif 000006
【図５】
2004328839.tif 000007
【図６】
2004328839.tif 000008
【図７】
2004328839.tif 000009
【図８】
2004328839.tif 000010
【図９】
2004328839.tif 000011
【図１０】
2004328839.tif 000012
【図１１】
2004328839.tif 000013